(57)【要約】      （修正有）【課題】頚椎に当たる部分が使用者に合わせて調節出来、尚且肩口の冷えを防ぎフィット感、リラックス感が増し、更には腹式呼吸を誘い入眠時間を短縮させる枕を提供する。【解決手段】双方にカバーを掛け交わる部分にマジックテープを取付け枕部分が上下移動出来、使用者の肩巾の違いや頭の大小にかかわらず対応出来るようにした。又枕部分は詰めものの厚さの調整や表裏で夏冬用に素材を変えられるようにした。【効果】頚椎枕が頚椎部分を伸展しＡ型部分に後頭部が収まり枕部分で頭頂部が支えられ従来の枕に比べ少し顎が上がったような寝姿になる為気管が拡がりリラックスし腹式呼吸が優位になる。又Ａ型部分の二辺と枕部分が肩を被い掛布団とのすき間がなくなるので肩口の冷えが解消される。以上のような効果で入眠時間が短縮できる。【選択図】図１
2005021646.tif 000002
【特許請求の範囲】
【請求項１】
枕本体部分をへの字形とし頚椎枕と組み合わせてアルファベットのＡ字型としたことにより（ａ）二辺に肩部が収まり肩口の冷えがなく（ｂ）に頭頂部が支えられ（ｃ）中心部に後頭部が落ちフィット感とリラックス感が増し又（図３）の頚椎枕が首を少しもち上げ後頭部が（ｃ）に落ちるようになるので従来の枕に比べ気管が拡がり腹式呼吸が優位になり入眠時間が短縮されることを特徴としたＡ字型枕
【請求項２】
（図２）（図３）にカバーをかけ双方が交わる辺りにマジックテープを取付けることにより上下移動が可能になり、頚椎に当たる部分が使用者に合わせて丁度良い位置に移動出来るようにした。又（図３）は詰め物の量や表裏で夏冬対応出来る素材にすることにより更にフィット感とリラックス感が増し入眠時間が短縮されることを特徴とする請求項１に記載のＡ字型枕。
【発明の詳細な説明】
【発明の詳細な説明】
（発明の属する技術分野）
【０００１】冬の肩口の寒さを解消する為Ａ字型とし（ａ）二辺が肩口から入る冷めたい風を防ぎＡ字形の三角形の一辺で頚椎を伸展し（ｂ）部で頭頂部を支え（ｃ）に後頭部が軽く落ちるような状態になり、従来の枕に比べて気管が開き易くなり呼吸が深くなり腹式呼吸に変わる為に自分に枕が合わず寝つきや寝ざめの悪さを解消するＡ字型枕に関する。（発明が解決しようとする課題）
【０００２】従来の箱型枕には頚椎に当たる部分が使用者に合わせて調節出来尚且肩口の冷えを防ぎフィット感、リラック感が増し腹式呼吸を誘い入眠時間を短縮させるものがなかったのでこれを解消しようとした。（課題を解決する為の手段）
【０００３】（図２）（図３）双方にカバーを掛け交わる部分にマジックテープを取付け（図３）が上下移動でき使用者の肩巾の違いや頭の大小にかかわらず対応出来るようにした。
【０００４】頚椎枕が頚椎部分を伸展し（ｃ）に後頭部が収まり従来の箱型枕に比べ少し顎が上がったような寝姿になる為気管が拡がりリラックスし腹式呼吸が優位になり又（ａ）二辺と図３が肩を被い掛布団とのすき間がなくなるので肩口の冷えが解消され入眠時間が短縮出来るよう工夫した。（発明実施の形態）
【０００５】（図２）の頂角は９０度程とし詰めものは弾力性のあるものでポリウレタン、綿、羊毛、羽毛、ポリエチレンビーズなどが考えられ頂角の角度も多少変動出来るぐらいの柔らかさのものが使い良く、頭頂部を支えるので緊張感がなくなる。
【０００６】（図３）は頚椎を直に支えるので使用時に固すぎないよう沈みすぎないよう考慮したポリウレタン、綿、羊毛、羽毛、ポリエチレンビーズなどの材料を詰め、夏の暑さにも対応出来るように裏側には麻など通気性の良い素材を用い夏冬快適に使用出来るようにした。
【０００７】（図２）（図３）双方にカバーを掛け交わる部分にマジックテープを取付け上下に接着部を移動出来るようにし使用者が自分に合った位置を選択出来るようにする。又（図３）を当てることにより頚部が少しもち上がり（ｃ）に後頭部が落ちるので少し顎が上がったようになり、気管が拡がり腹式呼吸が優位になり入眠時間が短縮される
【０００８】（図３）は（図２）より細くする。（発明の効果）
【０００９】従来の箱型ではなくＡ字型とすることで肩口の寒さが（ａ）二辺で防げ（ｂ）に頭頂部が軽く乗るような感じで支えられ、頚椎は好みの位置と厚さに枕が変えられ頚椎伸展効果が生まれ、（ｃ）に後頭部が落ちるので従来の枕に比べ顎が少し上がり気味になり気管が拡き腹式呼吸が優位になり入眠時間が短縮される。又横寝の折も（ａ）が斜めの状態なので肩口と頭の位置関係の邪魔をせず（図３）の一重の部分と（図２）と合わさった部分とで高低の選択も出来楽である。
【図面の簡単な説明】
【図１】使用時俯瞰図
【図２】本体枕
【図３】頚椎枕
【符号の説明】
ａ    への字形二辺部ｂ    頂角部ｃ    後頭部収納部
【図１】
2005021646.tif 000003
【図２】
2005021646.tif 000004
【図３】
2005021646.tif 000005
【図４】
2005021646.tif 000006
【手続補正書】
【提出日】平成15年9月26日(2003.9.26)
【手続補正１】
【補正対象書類名】明細書
【補正対象項目名】全文
【補正方法】変更
【補正の内容】
【発明の詳細な説明】
【技術分野】
【０００１】冬の肩口から入る冷めたい風を防ぎ尚且枕の一部分である頚椎用枕が使用者個人に合わせて調節可能なＡ字型枕に関する。
【背景技術】
【０００２】従来形の枕は頚椎と後頭部が落ちた時の位置や高さの関係が変動できるものがなく使用者に合わせた枕でなく使用者が枕に合わせざるを得なかった。
【発明が解決しようとする課題】
【０００３】枕の高さが自分に合わなかったり頚部と後頭部の位置関係がしっくりいかずなかなか寝つかれない人や冬の肩口からの冷えで眠むれない人の為に枕をＡ字型とすることで頚椎に当たる（図３）が高さや位置関係の変更でフィット感を生み又（ａ）二辺が肩を被うので暖かく入眠時間を短縮できる枕を提供しょうとした。
【課題を解決する為の手段】
【０００４】（図２）（図３）の双方にカバーを掛けて（図４）として使用した時の交わる部分にマジックテープを取付け（図３）が上下に移動できるようにして使用者の肩巾の違いや頭の大小にかかわらず対応できるようにした。
【０００５】（図３）に頚椎を乗せた時（ｃ）に後頭部が落ち頚部の進展効果ができるよう工夫した。
【０００６】（図１）の使用状態で従来の枕に比べ顎が少し上がったようになり気管が拡がり腹式呼吸が優位になるので入眠時間が短縮されるようにし工夫した。
【０００７】冬の肩口からの寒さは寝つきを悪くするのでＡ字型枕としその二辺（ａ）が肩口を被い掛布団とのすき間をなくし暖まりが早くなるようにした。
【０００８】（図３）は、詰め物の量や素材などを表裏で使い分けることにより夏冬の使い分けや使用者により合ったものを選択できるようにした。
【発明実施の形態】
【０００９】図２の頂角９０度程として中の詰め物は程良い弾力性のあるものが良く  ポリウレタン、綿、羊毛、ポリエチレンビーズ等が考えられる特に（ｂ）辺りは頭頂部を支えるので沈みすぎず固すぎず程良い柔らかさのものが緊張感がなく望ましい。
【００１０】（図３）は頚椎を直に支えるので使用時に固すぎず沈みすぎないよう考慮した  ポリウレタン  綿  羊毛  ポリエチレンビーズなどの素材を詰め裏側になる部分には夏に対応できるように麻やヤシの繊維など通気性の良い材を用いることにより表裏で使い分け夏冬快適に使用できるようにした。
【００１１】（図３）は中の詰め物を増減できるようにして高低の調節ができるようにした。
【００１２】（図３）は（図２）より細い
【発明の効果】
【００１３】掛布団とのすき間から入る冬の冷たい風が肩口を被う（ａ）二辺で入らなくなるので体が暖まり熟睡できる。
【００１４】（図３）を自分に合ったように変更移動することにより（ｂ）に頭頂部が軽く乗るような感じで支えられ頚椎進展効果とリラックス効果が生まれる。
【００１５】（ｃ）に後頭部が落ちるので従来形の枕に比べ顎か少し上がり気味になり複式呼吸が優位になるので入眠時間が短縮される。
【００１６】横寝姿の折も（ａ）が斜めの状態なので肩口と頭の位置関係を邪魔をせず（図３）の一重の部分と（図２）とを組合わせて重なり合う部分とで高低の選択もでき使用勝手は楽である。
【図面の簡単な説明】
【００１７】
【図１】使用時俯瞰図
【図２】本体枕俯瞰図
【図３】頚椎枕俯瞰図
【図４】Ａ字型枕俯瞰図
【符号の説明】
ａ  への字形二辺部
ｂ  頂角部
ｃ  後頭部収納部